(57)【要約】【課題】ディスクに信号を記録することが出来る光ディスク記録再生装置の記録制御方法を提供する。【解決手段】記録動作中にディスク１に予め記録されているディスク信号のエラーを検出し、エラーが検出されるブロックが設定数連続して検出されたときホスト機器から送信される信号の受信動作を停止させるとともに最初にエラーが検出されたエラー発生開始ブロックの先頭位置を示すアドレスデータを記憶させ、異常検出動作により異常記録状態になると判断されたとき、ディスク１への記録動作を停止させるとともに正常記録動作を行うことが出来る状態に復帰したとき、記憶されたアドレスデータに基づいて記録動作の再開動作を制御する。【選択図】    図１
2004288274.tif 000002
【特許請求の範囲】
【請求項１】
ホスト機器より送信される信号が一旦記憶されるバッファ用メモリーを備えているとともに該バッファ用メモリーから読み出された信号をブロック単位でディスクに記録するように構成された光ディスク記録再生装置において、記録動作中にディスクに予め記録されているディスク信号のエラーを検出し、エラーが検出されるブロックが設定数連続して検出されたときホスト機器から送信される信号の受信動作を停止させるとともに最初にエラーが検出されたエラー発生開始ブロックの先頭位置を示すアドレスデータを記憶させ、異常検出動作により異常記録状態になると判断されたとき、ディスクへの記録動作を停止させるとともに正常記録動作を行うことが出来る状態に復帰したとき、記憶されたアドレスデータに基づいて記録動作の再開動作を制御するようにしたことを特徴とする光ディスク記録再生装置の記録制御方法
【請求項２】
エラー発生開始ブロックから所定ブロック数後退した位置から記録動作を再開させるようにしたことを特徴とする請求項１に記載の記録制御方法。
【請求項３】
記録停止前に記録されていた信号と同一の信号を同一の場所に記録するようにしたことを特徴とする請求項２に記載の記録制御方法。
【請求項４】
記録動作を再開するときホスト機器から送信される信号の受信動作を再開させるようにしたことを特徴とする請求項１に記載の記録制御方法。
【発明の詳細な説明】
【０００１】
【発明の属する技術分野】
本発明は、光学式ピックアップに組み込まれているレーザー素子より照射される光ビームによってディスクに信号を記録するとともに光ビームによってディスクに記録されている信号の再生動作を行うように構成された光ディスク記録再生装置に関する。
【０００２】
【従来の技術】
光学式ピックアップを用いてディスクに記録されている信号の読み出し動作を行うディスクプレーヤーが普及しているが、最近では、再生機能に加えて光学式ピックアップに組み込まれているレーザー素子より照射される光ビームによってディスクに信号を記録することが出来るように構成された光ディスク記録再生装置が商品化されている。
【０００３】
記録用ディスクには、プリグルーブと呼ばれる溝が設けられており、このプリグルーブより得られるウォブル信号を復調することによって時間情報、即ちディスクアドレスが得られる。このプリグルーブより得られるウォブル信号によって記録されている時間情報は、ＡＤＩＰ（Ａｄｄｒｅｓｓ  ｉｎ  Ｐｒｅ−ｇｒｏｏｖｅ）と呼ばれている。
【０００４】
そして、光ディスク記録再生装置における記録動作は、ディスクより得られるＡＤＩＰであるディスクアドレスによって信号の記録位置をサーチするとともに該アドレスに一致させたデータアドレスを記録信号であるデータに付加することによって所望の位置に信号を記録するように構成されている。
【０００５】
また、ＤＶＤと呼ばれる光ディスク記録再生装置では、ホスト機器であるコンピューター装置からの記録命令に従って信号のディスクへの記録動作を行うように構成されているが、斯かる記録動作はＥＣＣと呼ばれる１ブロック単位で記録するように構成されている（例えば、特許文献１参照。）。
【０００６】
【特許文献１】
特開２００２−３１３０２７号公報
【０００７】
【発明が解決しようとする課題】
光ディスク記録再生装置は、ホスト機器より送信されてくる信号を一旦記憶させるバッファと呼ばれるメモリーを備えており、該バッファメモリーから信号を読み出すとともに読み出された信号をディスクの規格に対応させたフォーマットにて記録するためのエンコード処理を行うように構成されている。
【０００８】
また、光ディスク記録再生装置における記録動作は、ディスクより得られるディスクアドレス信号の読み出し動作を行いながら行われるが、光学式ピックアップより照射されるレーザー光の出力変化やジッター等の影響からディスク信号の読み出し動作が正常に行えないことがある。ディスク信号の読み出し動作が正常に行えない状態になってもディスクへの記録動作は行うことは出来るが記録動作は正常に行えない可能性がある。
【０００９】
光ディスク記録再生装置は、周知の如くエラー訂正機能を備えているため、記録動作が正常に行えなくともエラー訂正可能範囲であれば、正常に再生動作を行うことが出来るので問題はない。しかしながら、外部からの衝撃等によってトラックジャンプ等が発生するとディスクへの記録動作を訂正可能な範囲で行うことが出来ないので記録動作を停止させることになる。記録異常状態になったとき、ディスクの異常記録部分の信号を書き換えることによって修復させることは可能であるが、ホスト機器より送信される信号が一旦記憶されるバッファ用メモリーに記憶されていた信号は、記録動作後に送信されてくる信号によって上書き消去されているため、修正のための記録動作を速やかに行うことが出来ないという問題がある。
【００１０】
本発明は、斯かる問題を解決することが出来る記録制御方法を提供しようとするものである。
【００１１】
【作用】
本発明は、ホスト機器より送信される信号が一旦記憶されるバッファ用メモリーを備えているとともに該バッファ用メモリーから読み出された信号をブロック単位でディスクに記録するように構成された光ディスク記録再生装置において、記録動作中にディスクに予め記録されているディスク信号のエラーを検出し、エラーが検出されるブロックが設定数連続して検出されたときホスト機器から送信される信号の受信動作を停止させるとともに最初にエラーが検出されたエラー発生開始ブロックの先頭位置を示すアドレスデータを記憶させ、異常検出動作により異常記録状態になると判断されたとき、ディスクへの記録動作を停止させるとともに正常記録動作を行うことが出来る状態に復帰したとき、記憶されたアドレスデータに基づいて記録動作の再開動作を制御するように構成されている。
【００１２】
【実施例】
図１は本発明に係る光ディスク記録再生装置の一実施例を示すブロック回路図、図２は本発明の動作を説明するための図である。
【００１３】
図１において、１はスピンドルモーター（図示せず）によって回転駆動されるディスクであり、位置情報データがプリグルーブと呼ばれる溝によって記録されており、この溝より得られるＡＤＩＰ信号に基づいて信号の記録再生動作が行われるように構成されている。２はディスク１に光ビームを照射させるレーザー素子（図示せず）及び該レーザー素子より照射される光ビームのレベルをモニターするモニター用ダイオードが組み込まれているとともにディスク１の信号面より反射される光ビームを受ける光検出器が組み込まれている光学式ピックアップであり、ピックアップ送り用モーター（図示せず）によってディスク１の径方向に移動せしめられるように構成されている。
【００１４】
３は前記光学式ピックアップ２に組み込まれている光検出器から得られるＲＦ信号を増幅するとともに波形成形するＲＦ信号増幅回路、４は前記光学式ピックアップ２に組み込まれている光検出器から得られる信号に基づいて前記光学式ピックアップ２より出力される光ビームをディスク１の信号面に合焦させるフォーカシング制御動作及び該光ビームを前記信号面の信号トラックに追従させるトラッキング制御動作を行うピックアップ制御回路であり、フォーカスサーボ回路及びトラッキングサーボ回路が組み込まれている。
【００１５】
５は前記ＲＦ信号増幅回路３より出力される信号のデジタル信号処理を行うとともに各種信号の復調動作を行うデジタル信号処理回路、６は前記デジタル信号処理回路５にて信号処理されたデジタル信号が入力される信号再生用回路であり、ディスク１に記録されている情報がオーディオ信号である場合には、アナログ信号に変換した後増幅器等に出力し、コンピューターソフトのようなデータ信号の場合にはデジタル信号のままホスト機器として設けられているコンピューター装置７に出力する作用を成すものである。
【００１６】
８は前記デジタル信号処理回路５によって復調された信号が入力されるとともに前記コンピューター装置７から出力される命令信号に応じて種々な制御動作を行うシステム制御回路である。９はテスト信号や情報信号等の記録信号が入力されるとともにその信号をエンコード処理した後レーザー駆動回路１０に供給し、該レーザー駆動回路１０によるレーザーの照射動作を制御することによってデータ信号等の記録信号を前記ディスク１に記録させる信号記録用回路である。
【００１７】
１１はディスク１に記録される信号が一旦記憶されるバッファ用メモリーであり、前記コンピューター装置７より出力される信号が書き込まれるとともにシステム制御回路８の制御動作によって信号の書き込み動作及び読み出し動作が制御されるように構成されている。そして、前記バッファ用メモリー１１へ記憶された信号は、ディスク１に記録するべく読み出された後も記憶保持された状態にあり、その後コンピューター装置７より出力される新しい信号がその位置に記憶されることによって順次上書き消去されるように構成されている。
【００１８】
１２はディスク１への信号の記録動作を行っているとき記録位置を示すアドレスを記憶するアドレスメモリー回路であり、前記システム制御回路８によって記憶動作が制御されるように構成されている。１３は前記ＲＦ信号増幅回路３より得られる信号の中からＡＤＩＰ信号、即ちディスク信号を復調するディスク信号デコード回路であり、復調された信号はシステム制御回路８に入力されるように接続されている。１４はディスク信号デコード回路１３によって復調される信号のエラーを検出するエラー検出回路であり、エラーの有無をシステム制御回路８に出力するように構成されている。
【００１９】
斯かる構成において、ディスク１への信号の記録動作時、バッファ用メモリー１１にはコンピューター装置７から出力される信号が記憶され、その記憶されている信号の読み出し動作を制御することによってディスク１への信号の記録動作を制御するように構成されている。
【００２０】
以上の如く、本発明に係る光ディスク記録再生装置は構成されているが、次に斯様に構成された回路における再生動作について説明する。コンピューター装置７よりドライブ装置を構成するシステム制御回路８に対して再生動作を行うための命令信号が出力されると、該システム制御回路８による再生動作のための制御動作が開始される。斯かる再生動作が行われる場合には、光学式ピックアップ２に組み込まれているレーザー素子には、信号の読み出し動作を行うためのレーザー出力が得られる駆動電流がレーザー駆動回路１０より供給されるように設定されている。
【００２１】
斯かる再生動作のための制御動作が開始されると、スピンドルモーターの回転制御動作が行われるが、斯かるスピンドルモーターの回転制御動作は、ディスク１より再生される同期信号を利用して行われることになる。そして、斯かる回転制御動作は、後述する信号の記録動作時にも同様に行われる。
【００２２】
スピンドルモーターの回転制御動作は、以上の如く行われるが、信号の読み出し動作を行う光学式ピックアップ２では、フォーカシング制御動作及びトラッキング制御動作が開始されて該光学式ピックアップ２によるディスク１からの信号の読み出し動作が開始されるが、再生動作に先だってディスク１の内周側に設けられているリードイン領域に記録されているＴＯＣデータの読み出し動作が行われる。
【００２３】
ディスク１に記録されている信号記録領域に記録されている信号の読み出し再生動作は、リードイン領域に記録されているＴＯＣデータに基づいて行われることになる。前記光学式ピックアップ２によって読み出された信号は、ＲＦ信号増幅回路３を通して増幅及び波形成形された後デジタル信号処理回路５に入力されて信号の復調動作が行われる。前記デジタル信号処理回路５により信号処理が行われて情報データが抽出されると、該情報データは誤り訂正等の信号処理が行われた後、信号再生用回路６に印加される。
【００２４】
そして、前記信号再生用回路６は、ディスク１から読み出された情報データがオーディオ信号である場合には、アナログ信号に変換した後増幅器等に出力し、コンピューターソフトのようなデータ信号の場合にはデジタル信号のままコンピューター装置７に出力することになる。
【００２５】
以上に説明したように本実施例における再生動作は行われるが、次にディスク１への信号の記録動作について説明する。
【００２６】
ディスク１に信号を記録する動作は、まずディスク１に設けられている試し書き領域にテスト信号を記録することによってディスク１の特性に最も適したレーザー出力を設定するための動作が行われる。斯かる設定動作は、レーザー出力を変化させながらテスト信号を記録するとともにその記録された信号を再生することにより行われるがその動作は周知であるので説明は省略する。
【００２７】
斯かるレーザー出力の設定動作が行われると、ディスク１の追記記録管理領域に記録されている情報データ、即ち信号記録領域に記録されている信号の位置情報等を読み出す動作が行われる。そして、このようにして読み出された情報データに基づいてディスク１に設けられている信号記録領域にデータ信号の記録動作が可能であるか、また、記録動作を行う位置は何処か等の認識動作が行われる。
【００２８】
斯かる認識処理動作が終了すると、光学式ピックアップ２をディスク１上の記録動作を開始する位置まで移動させる動作及びバッファ用メモリー１１への記録信号の書き込み動作が行われる。前記光学式ピックアップ２の記録開始位置への移動動作は、ディスク１に予め記録されているＡＤＩＰ信号より得られるアドレス信号を読み取ることによって行われる。光学式ピックアップ２を移動させながらアドレス信号を読み取りそのアドレス値が記録開始位置のアドレスと一致したときディスク１への記録動作が開始される。
【００２９】
一方前記バッファ用メモリー１１への信号の書き込み動作が行われると、該バッファ用メモリー１１に記憶される信号の記憶量が次第に上昇することになる。その記憶量が所定量を越えると、前記バッファ用メモリー１１に記憶されている信号を読み出し、その読み出された信号を前記信号記録用回路９に入力せしめる。その結果、前記信号記録用回路９によるエンコード処理動作、即ちディスク信号デコード回路１３によって抽出されたディスクアドレスに対応させたアドレスを信号に付加するとともに規格にあったフォーマットにする信号処理動作が行われる。そして、このように処理された記録信号がレーザー駆動回路１０に供給され、記録位置に移動した光学式ピックアップ２によってディスク１に信号が記録されることになる。
【００３０】
斯かる動作によってディスク１への信号の記録動作は行われるが、前記バッファ用メモリー１１への信号の書き込み動作は、該バッファ用メモリー１１からの信号の読み出し動作に応じて行われるように構成されている。前記バッファ用メモリー１１に設けられているバッファ領域、即ちコンピューター装置７より送信される記録信号が一旦書き込まれる領域は、記録単位であるＥＣＣ単位の信号の２００ブロック分に相当する信号が記憶されるように構成されている。
【００３１】
前記コンピューター装置７から送信される信号は、前記バッファ用メモリー１１のバッファ領域に一旦記録された後に読み出されてディスク１に記録されるが、読み出された信号はコンピューター装置７から次々と送信されてくる信号の書き込み動作によって上書き消去されることになる。また、本実施例における記録動作はＥＣＣと呼ばれるブロック単位で記録されることになる。
【００３２】
以上に説明したように本実施例における記録動作は行われるが、次に本発明の制御動作について説明する。ディスク１への記録動作は、前述したようにＥＣＣと呼ばれるブロック単位で記録されるが、記録信号は、信号記録用回路９によってエンコード処理されてディスク１に記録される。そして、斯かるエンコード処理としては、エラー訂正コードの記録信号への付加動作とともにアドレス情報を付加することによって行われるが、このアドレス情報は、ディスク１に予め記録されているディスク信号であるＡＤＩＰ信号、即ちディスク信号デコード回路１３によって抽出されたディスクアドレスに基づいて生成されてディスク１に記録される。
【００３３】
斯かる記録動作が行われている状態では、ディスク信号デコード回路１３によるディスク信号の抽出動作が行われているが、該信号の読み出し動作が正常に行われているか否かの検出動作がエラー検出回路１４によって行われた状態にあり、その検出出力がシステム制御回路８に入力された状態にある。
【００３４】
システム制御回路８はディスク信号デコード回路１３にて抽出されるディスク信号に基づいてアドレスデータ生成回路（図示せず）によるアドレスデータの生成動作を制御し、その生成されたアドレスデータを信号記録用回路９のエンコード処理にて記録信号に付加する制御動作を行うように構成されている。そして、斯かるアドレスデータの生成は、ディスク信号デコード回路１３にて抽出されるディスク信号が得られない場合があってもアドレスデータ生成回路にて自動的に生成されるため、前記ディスク信号デコード回路１３からのディスク信号が無くなっても問題はない。即ち、ディスク１より再生されるディスク信号であるアドレスと記録信号に付加するために生成されるアドレスデータとは、所定時間毎に一致するように調整制御されるように構成されている。
【００３５】
記録動作状態では、前述した動作が行われているが、エラー検出回路１４によるディスク信号のエラー検出動作が常時行われている。ディスク信号にエラーが発生したことが前記エラー検出回路１４によって検出されると、システム制御回路８はディスク信号のエラーが発生したことを認識するが、そのエラーの検出動作は記録単位であるブロック毎に行われる。
【００３６】
ブロック毎にエラーの有無が検出されるが、エラー有からエラー無しの状況に直ちに復帰した場合には、記録動作に何等影響を与えないので記録動作は続行されることになる。エラーの有無検出動作がブロック単位で行われ、エラー有の検出動作が第１の設定数、例えば５０ブロック連続して続いた場合には、記録動作が異常になる前兆であると予測し、コンピューター装置７から送信される信号の受信動作を停止させる制御動作が行われる。
【００３７】
斯かる記録信号の受信動作を停止させるための制御動作が行われると、システム制御回路８からコンピューター装置７に対して、受信動作を停止することを示す報知信号を出力する。斯かる信号をコンピューター装置７が受信すると、該コンピューター装置７は、光ディスク記録再生装置が信号を受信する状態にないことを認識し、記録信号の送信動作を停止させるための制御動作を行う。
【００３８】
エラー検出回路１４によって検出されるエラーのブロック数が第１の設定数連続した場合には、コンピューター装置７から送信される信号の受信動作を停止させるための制御動作が行われるが、バッファ用メモリー１１には、受信動作を停止する前に受信されて記憶された信号が記憶された状態にある。従って、エラーの検出動作が連続して第１設定数のブロック行われて信号の受信動作が停止されてもディスク１への記録動作は中断されることなく行われる。
【００３９】
前述したようにエラー検出回路１４によって検出されるエラーのブロック数が第１の設定数連続すると、コンピューター装置７から送信される信号の受信動作を停止させるが、バッファ用メモリー１１に記憶されている信号の読み出し動作を行うことによってディスク１への信号の記録動作は維持された状態にある。このような状態において、ディスク信号デコード回路１３によって抽出されるディスク信号にエラーが有る状況が連続して第１設定数ブロックあり、そのブロック数が第２の設定数に達する前にエラーが無い状況に復帰すると、エラー検出回路１４よりシステム制御回路８に対してエラー無しの検出信号を出力する。
【００４０】
斯かる信号が入力されると、システム制御回路８は、コンピューター装置７に対して信号受信可を報知する信号を出力するとともにバッファ用メモリー１１に受信中断前に記憶されていた信号の次の領域に信号を書きこむための制御動作を行う。斯かる動作が行われると、コンピューター装置７から記録中断前に送信した信号に続く信号を光ディスク記録再生装置に対して送信する動作が行われる。前記コンピューター装置７から送信される信号は、前記システム制御回路８によるメモリー制御動作によってバッファ用メモリー１１に受信中断前に記憶されていた信号の次の領域に書き込まれる。
【００４１】
斯かる動作が行われている間、ディスク１への記録動作が行われており、コンピューター装置７から送信される信号の受信動作の再開に伴ってディスク１への記録動作が続けて行われることになる。
【００４２】
前述したようにエラー検出回路１４によって検出されるエラーのブロック数が第１の設定数連続した場合の信号受信停止動作及び連続して検出されるエラーのブロック数が第２設定数に達する前にエラーが無くなった場合の動作は行われるが、次に第２設定数に達するまでエラーの検出動作が連続して行われた場合について説明する。
【００４３】
この第２の設定数は、受信停止動作が行われたときにバッファ用メモリー１１に記憶可能なブロック数、即ち２００である。即ち、前述したように第１設定数のエラーブロックである５０ブロックの連続検出によって信号の受信動作を停止させた後、バッファ用メモリー１１に記憶されている未記録信号である１５０ブロック分の信号の読み出し動作を行うとディスク１へ記録する信号がなくなる。従って、斯かる場合には、記録動作を停止させるための制御動作がシステム制御回路８によって行われる。
【００４４】
以上に説明したように本発明に係る記録制御動作は行われるが、次に本発明の要旨について図２を参照して説明する。
【００４５】
図２において、１Ｂで示すブロックからエラー検出回路１４によるディスク信号のエラーが検出され、５０Ｂで示すブロックまで連続してエラーが検出され、更に５１Ｂ及び５２Ｂで示すブロックまでエラーが検出され、この５２Ｂの位置でトラックジャンプ等の原因によって記録動作を行うことが出来ないと判定された場合について説明する。
【００４６】
このトラックジャンプによる影響によって記録動作を正常に行うことが出来ないとの判定動作や検出動作は、ピックアップ制御回路４によるトラッキングサーボ動作を監視することによって行うことが出来る。例えば、サーボエラー信号のレベルを検出し、そのレベルが設定レベルを越えた場合に正常な記録動作を行うことが出来ない状態になったと判断することが出来る。
【００４７】
斯かる場合、５０Ｂで示すブロックまでエラーがあるブロックであると検出されると、前述したようにコンピューター装置７から送信される信号の受信停止動作及びコンピューター装置７への受信不可報知動作が行われるが、最初にエラーが検出されたエラー発生開始ブロック１Ｂの先頭位置、即ちＥ点の位置を示すアドレスデータはアドレスメモリー回路１２に記憶保持されるように構成されている。また、記録動作を正常に行うことが出来ないと判断されるので、ディスク１への記録動作を停止させるための制御動作が行われる。斯かる記録動作を停止させるための制御動作が行われたとき、バッファ用メモリー１１には、エラー発生開始ブロック１Ｂより前にディスク１に記録された信号から受信動作が停止させられる前に記憶されていた信号が記憶保持された状態にある。即ち、バッファ用メモリー１１のバッファ領域には、２００ブロック分の信号を記憶することが出来るので、記録動作が停止されるまでにディスク１に記録された信号である２００ブロック分の信号、勿論５２ブロック分の信号を含む信号が記憶保持された状態にある。また、前記アドレスメモリー回路１２にはエラー発生開始ブロック１Ｂの先頭位置Ｅを示すアドレスデータが記憶保持された状態にある。
【００４８】
前述した制御動作によって記録動作が一旦停止されるが、斯かる停止動作が行われた後には正常な記録動作を行う状態に復帰させるための制御動作がシステム制御回路８によって行われる。斯かる動作は、スピンドルモーターの回転制御動作、ピックアップ制御回路４によるフォーカシング制御動作及びトラッキング制御動作を行うとともに光学式ピックアップ２の位置をエラー発生開始ブロック１Ｂよりも所定ブロック、例えば１０ブロック後退させた位置に移動させる動作が行われる。
【００４９】
光学式ピックアップ２をエラー発生開始ブロック１Ｂよりも１０ブロック後退させた位置に変位させた後その位置より再生動作を行い再生される信号の中から同期信号を抽出し、信号の記録動作を行うための記録用クロック信号との同期合わせ処理を行う。斯かる動作を行っているときには、ピックアップ制御回路４による光学式ピックアップ２に対する制御動作が行われるので、そのサーボ動作が正常に行われているかの判定動作及びエラー検出回路１４によるエラー検出動作によって記録動作を正常に行うことが出来るか否かの判定動作を行うことが出来る。
【００５０】
斯かる判定動作によって記録動作を正常に行うことが出来る状況にあると判定されると、エラー発生開始ブロック１Ｂよりも２ブロック後退した位置から記録動作を開始させるための制御動作が行われる。即ち、図２において、ブロック２Ａから記録動作を開始させる動作が行われる。
【００５１】
斯かる制御動作によって記録動作が開始されるが、その記録動作は、ブロック２Ａから１Ａ、１Ｂ、２Ｂ、３Ｂ〜と行われることになる。そして、斯かるブロック２Ａから１Ａ、１Ｂ、２Ｂ、３Ｂ〜に記録される信号は、前記バッファ用メモリー１１に記憶保持されている信号、即ちディスク１に記録中断前に記録された信号である。また、斯かる記録動作が開始されるとコンピューター装置７から送信される信号を受信する状態にするとともにコンピューター装置７に対して信号の送信動作を可とするための報知信号が出力される。
【００５２】
前述した動作が行われる結果、コンピューター装置７から記録信号の送信動作が再開されるとともに該信号の受信動作を行い、その受信された信号をバッファ用メモリー１１に書き込む動作が行われるが、その書き込み動作は、それまでに受信されていた信号が記録されていた位置に続くように行われる。
【００５３】
以上に説明したように記録動作が再開される結果、ブロック２Ａから１Ａ、１Ｂ、２Ｂ、３Ｂ〜５２Ｂまで記録されていた信号に対して同一の信号が上書きされることになる。従って、エラー検出回路１４によってエラーが検出されたブロック、即ち記録動作が正常に行われているか否か不明なブロックに記録されていた信号の書き換え動作が行われるので、異常記録されたブロックがあった場合にはそのブロックに記録されていた記録信号の修復動作を行うことが出来る。また、エラー発生開始ブロック１Ｂよりも２ブロック後退した位置から記録動作を開始させるようにしたので、エラーが検出されたエラー発生開始ブロック１Ｂの直前に記録されたブロックのように記録特性が悪化していると考えられるブロックに記録されていた記録信号の修復動作を行うことが出来る。
【００５４】
【発明の効果】
本発明は、ホスト機器より送信される信号が一旦記憶されるバッファ用メモリーを備えているとともに該バッファ用メモリーから読み出された信号をブロック単位でディスクに記録するように構成された光ディスク記録再生装置において、記録動作中にディスクに予め記録されているディスク信号のエラーを検出し、エラーが検出されるブロックが設定数連続して検出されたときホスト機器から送信される信号の受信動作を停止させるとともに最初にエラーが検出されたエラー発生開始ブロックの先頭位置を示すアドレスデータを記憶させ、異常検出動作により異常記録状態になると判断されたとき、ディスクへの記録動作を停止させるとともに正常記録動作を行うことが出来る状態に復帰したとき、記憶されたアドレスデータに基づいて記録動作の再開動作を制御するようにしたので記録信号の修復動作を行うことが出来る。
【００５５】
また、本発明は、エラー発生開始ブロックから所定ブロック数後退した位置から記録動作を再開させるようにしたので、異常記録されている可能性の高いブロックの修正動作を行うことが出来、信頼性の高い記録動作を行うことが出来る。
【００５６】
そして、本発明は、記録停止前に記録されていた信号と同一の信号を同一の場所に記録するようにしたので、異常記録されている可能性の高いブロックの修正動作を行うことが出来、信頼性の高い記録動作を行うことが出来る。
【図面の簡単な説明】
【図１】本発明に係る光ディスク記録再生装置の一実施例を示すブロック回路図である。
【図２】本発明の記録制御方法を説明するための図である。
【符号の説明】
１        ディスク
２        光学式ピックアップ
４        ピックアップ制御回路
５        デジタル信号処理回路
７        コンピューター装置
８        システム制御回路
９        信号記録用回路
１０        レーザー駆動回路
１１        バッファ用メモリー
１２        アドレスメモリー回路
１３        ディスク信号デコード回路
１４        エラー検出回路
【図１】
2004288274.tif 000003
【図２】
2004288274.tif 000004